(57)【要約】【課題】カメラ付き宅外通話端末とモニタ装置無し宅内通話端末との間で通話路を形成した場合でも使い勝手のよいインターホンシステムを提供する。【解決手段】インターホン副親機Ａ２はモニタ装置を備えておらず、映像を表示することができないので、制御部１６は、カメラ付きドアホン子器Ｂとの間に通話路を形成して、通話処理部１５がカメラ付きドアホン子器Ｂから送信された音声信号に重畳した映像信号を受信した場合は、制御信号送受信部１８からインターホン親機Ａ１を介してカメラ付きドアホン子器Ｂに対して映像不可制御信号を送信させる。映像不可制御信号を受信したカメラ付きドアホン子器Ｂは、訪問者に対して、通話路を形成した宅内通話端末では、カメラが撮像した映像を表示させることができないことを報知する。【選択図】　　　　図１
2004088381.tif 000002
【特許請求の範囲】
【請求項１】
住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、本端末と通話路を形成している宅外通話端末がカメラ付き宅外通話端末である場合には、カメラが撮像した映像を表示させることができないことを通話路を形成しているカメラ付き宅外通話端末に伝える手段とを備えたことを特徴とするインターホンシステム。
【請求項２】
住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、カメラ付き宅外通話端末との間に通話路を形成したことをモニタ装置付き宅内通話端末に通知する手段とを備え、
少なくとも１台のモニタ装置付き宅内通話端末は、モニタ装置無し宅内通話端末がカメラ付き宅外通話端末との間に通話路を形成したことを通知されたときに、カメラが撮像した映像を録画・再生する手段を備えたことを特徴とするインターホンシステム。
【請求項３】
宅内通話端末は、宅外通話端末との通話を終了するために操作手段を操作したとき、宅外通話端末に通話の終了を通知する通話終了通知手段を備えることを特徴とする請求項１または２記載のインターホンシステム。
【発明の詳細な説明】
【０００１】
【発明の属する技術分野】
本発明は、一戸建て住宅や集合住宅等に設置され、住戸内と住戸外との間の通話を行うインターホンシステムに関するものである。
【０００２】
【従来の技術】
従来、住戸外に設置される１台以上のカメラ付き宅外通話端末を含むドアホン子器やロビーインターホン等の宅外通話端末と、住戸内に設置される１台以上のインターホン親機および副親機等のモニタ装置付き宅内通話端末及び１台以上のインターホン親機および副親機等のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、カメラ付き宅外通話端末からの呼出に対して複数の宅内通話端末のうちモニタ装置無し宅内通話端末が応答操作を行って応答して、カメラ付き宅外通話端末とモニタ装置無し宅内通話端末とが通話路を形成した場合、カメラが撮像した映像をモニタ装置に表示できず、宅内ではカメラの映像を確認することができなかった。しかも訪問者にそのことを知らしめることができず、また、家人にとっては訪問者の映像を見ることができないという不都合があり、使い勝手の悪いものだった。
【０００３】
さらには、宅外通話端末と宅内通話端末との間の通話が終了したことを宅外通話端末に通知することはできず、宅外通話端末の訪問者は通話が継続しているのか終了したのかを判断することが困難であった。
【０００４】
【発明が解決しようとする課題】
本発明は、上記事由に鑑みてなされたものであり、その目的は、カメラ付き宅外通話端末とモニタ装置無し宅内通話端末との間で通話路を形成した場合でも使い勝手のよいインターホンシステムを提供することにある。
【０００５】
【課題を解決するための手段】
請求項１の発明は、住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、本端末と通話路を形成している宅外通話端末がカメラ付き宅外通話端末である場合には、カメラが撮像した映像を表示させることができないことを通話路を形成しているカメラ付き宅外通話端末に伝える手段とを備えたことを特徴とする。
【０００６】
請求項２の発明は、住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、カメラ付き宅外通話端末との間に通話路を形成したことをモニタ装置付き宅内通話端末に通知する手段とを備え、
少なくとも１台のモニタ装置付き宅内通話端末は、モニタ装置無し宅内通話端末がカメラ付き宅外通話端末との間に通話路を形成したことを通知されたときに、カメラが撮像した映像を録画・再生する手段を備えたことを特徴とする。
【０００７】
請求項３の発明は、請求項１または２において、宅内通話端末は、宅外通話端末との通話を終了するために操作手段を操作したとき、宅外通話端末に通話の終了を通知する通話終了通知手段を備えることを特徴とする。
【０００８】
【発明の実施の形態】
以下、本発明の実施の形態を図面に基づいて説明する。
【０００９】
（実施形態１）
本実施形態のインターホンシステムは、図１に示すように住戸外に設置される宅外通話端末として訪問者を撮像するためのテレビカメラを具備した従来周知のカメラ付きドアホン子器Ｂ（カメラ付き宅外通話端末）と、カメラ付きドアホン子器Ｂのテレビカメラで撮像された映像を表示するためのモニタ装置を具備して住戸内に設置されるインターホン親機Ａ１（モニタ装置付き宅内通話端末）と、モニタ装置を具備していない副親機Ａ２（モニタ装置無し宅内通話端末）とで構成される。但し、宅外通話端末として、集合住宅の玄関ロビーに設置されるロビーインターホンを備える場合もあり、カメラ付き宅外通話端末を複数備えてもよく、他にカメラ無し宅外通話端末を備えてもよい。さらに、モニタ装置付き宅内通話端末、モニタ装置無し宅内通話端末は各々複数備えてもよい。
【００１０】
カメラ付きドアホン子器Ｂは従来周知の構成を有するものであって、呼出釦、マイクロホン、スピーカ、訪問者を撮像するためのテレビカメラ等を具備し、呼出釦が操作されたときにインターホン親機Ａ１に対して呼出信号を出力し、後述するようにインターホン親機Ａ１又は副親機Ａ２との間に通話路が形成されると、マイクロホン及びスピーカを用いてインターホン親機Ａ１または副親機Ａ２と通話することができ、さらに音声信号に重畳させて映像信号を送信する。
【００１１】
インターホン親機Ａ１は、図２に示すようにマイクロホン１及びスピーカ２と、カメラ付きドアホン子器Ｂから出力された呼出信号を検出する呼出検出部３と、応答釦及び通話終了釦を具備する操作部４と、カメラ付きドアホン子器Ｂとの間に通話路を形成してカメラ付きドアホン子器Ｂから送られてくる音声信号（受話信号）を処理してスピーカ２から音声を出力するとともにマイクロホン１で集音した音声を処理した音声信号（送話信号）をカメラ付きドアホン子器Ｂに送って双方向の通話を実現する通話処理部５と、ＣＰＵを主構成要素とし親機全体の制御を行う制御部６と、スピーカ２から呼出音を出力させる呼出音出力部７と、インターホン副親機Ａ２との間で制御信号（後述する）を送受信する制御信号送受信部８と、カメラ付きドアホン子器Ｂから音声信号に重畳させて送られてくる映像信号を分離して処理する映像処理部９と、ブラウン管等の表示デバイスを具備し映像処理部９から出力される処理後の映像信号に応じて映像を表示する映像表示部（モニタ装置）１０とを備えている。
【００１２】
呼出検出部３はカメラ付きドアホン子器Ｂからの呼出信号を検出したときに呼出検出信号を制御部６に出力する。そして、呼出検出信号が入力された制御部６は、呼出音出力部７を制御してスピーカ２から呼出音を出力させるとともに、制御信号送受信部８からインターホン副親機Ａ２に対して呼出制御信号を送信させる。呼出音を聞いた家人が操作部４の応答釦を操作すると、操作部４から制御部６に対して応答操作信号が出力される。この応答操作信号が入力された制御部６は、通話処理部５を起動することでカメラ付きドアホン子器Ｂとの間に通話路を形成させる。通話を終了させる時には操作部４の通話終了釦を操作すると、操作部４から制御部６に対して終了操作信号が出力される。この終了操作信号が入力された制御部６は、通話処理部５を停止することでカメラ付きドアホン子器Ｂとの間の通話路を開放させる。
【００１３】
さらに、カメラ付きドアホン子器Ｂでは呼出釦が操作されたときに呼出信号とともに映像信号を送信し、インターホン親機Ａ１では、呼出信号に応じて呼出音をスピーカ２から出力すると同時に映像処理部２０を起動してカメラ付きドアホン子器Ｂのテレビカメラで撮像された訪問者の映像を映像表示部２１に表示させ、その後インターホン親機Ａ１が応答操作を行えばカメラ付きドアホン子器Ｂのテレビカメラで撮像された訪問者の映像を継続して映像表示部２１に表示させる（映像モニタ）のである。
【００１４】
通話処理部５はＤＳＰ（ディジタル・シグナル・プロセッサ）やＡ／Ｄ変換器及びＤ／Ａ変換器等で構成された従来周知の構成を有するものであって、ＤＳＰにより音声スイッチ及びエコーキャンセラ等の機能を実現することにより双方向のハンズフリー通話を可能としている。また、制御信号送受信部８はカメラ付きドアホン子器Ｂとインターホン副親機Ａ２を接続する通話線を介して制御信号を送受信する。
【００１５】
一方、インターホン副親機Ａ２は、図１に示すようにインターホン親機Ａ１とほぼ共通の構成を有しており、マイクロホン１１及びスピーカ１２と、応答釦及び通話終了釦を具備する操作部１４と、インターホン親機Ａ１を介してカメラ付きドアホン子器Ｂとの間に通話路を形成しカメラ付きドアホン子器Ｂから送られてくる音声信号（受話信号）を処理してスピーカ１２から音声を出力するとともにマイクロホン１１で集音した音声を処理した音声信号（送話信号）をカメラ付きドアホン子器Ｂに送って双方向の通話を実現する通話処理部１５と、ＣＰＵを主構成要素とし副親機全体の制御を行う制御部１６と、スピーカ１２から呼出音を出力させる呼出音出力部１７と、インターホン親機Ａ１、及びインターホン親機Ａ１を介してカメラ付きドアホン子器Ｂとの間で制御信号を送受信する制御信号送受信部１８とを備えている。
【００１６】
制御信号送受信部１８はカメラ付きドアホン子器Ｂとインターホン副親機Ａ２を接続する通話線を介して制御信号を送受信するものであって、例えば、インターホン親機Ａ１から送信された呼出制御信号を受信したときに呼出検出信号を制御部１６に出力する。そして、呼出検出信号が入力された制御部１６は、呼出音出力部１７を制御してスピーカ１２から呼出音を出力させる。呼出音を聞いた家人が操作部１４の応答釦を操作すると、操作部１４から制御部１６に対して応答操作信号が出力される。この応答操作信号が入力された制御部１６は、通話処理部１５を起動することでカメラ付きドアホン子器Ｂとの間に通話路を形成させる。通話処理部１５はインターホン親機Ａ１の通話処理部５と同じ構成を有しており、インターホン副親機Ａ２においてもインターホン親機Ａ１と同様にカメラ付きドアホン子器Ｂとの間で双方向のハンズフリー通話が可能となっている。通話を終了させる時には操作部１４の通話終了釦を操作すると、操作部１４から制御部１６に対して終了操作信号が出力される。この終了操作信号が入力された制御部１６は、通話処理部１５を停止することでカメラ付きドアホン子器Ｂとの間の通話路を開放させる。
【００１７】
ここで、インターホン副親機Ａ２はモニタ装置を備えておらず、映像を表示することができないので、制御部１６は、カメラ付きドアホン子器Ｂとの間に通話路を形成して、通話処理部１５がカメラ付きドアホン子器Ｂから送信された音声信号に重畳した映像信号を受信した場合は、制御信号送受信部１８からインターホン親機Ａ１を介してカメラ付きドアホン子器Ｂに対して映像不可制御信号を送信させる。映像不可制御信号を受信したカメラ付きドアホン子器Ｂは、訪問者に対して、通話路を形成した宅内通話端末では、カメラが撮像した映像を表示させることができないことを報知する手段を備えており、訪問者は映像による確認無しで、音声のみで家人と通話を行っていることを認識できる。
【００１８】
（実施形態２）
本実施形態においては、インターホン親機Ａ１は、図３に示すように映像処理部９の出力に映像録画・再生部２０を設け、操作部４は映像録画・再生部２０を再生動作させる映像再生釦を具備しており、これ以外の構成は実施形態１と共通である。またインターホン副親機Ａ２は、図１に示され、その構成は実施形態１と共通である。
【００１９】
インターホン副親機Ａ２はモニタ装置を備えておらず、映像を表示することができないので、制御部１６は、通話処理部１５がカメラ付きドアホン子器Ｂから送信された音声信号に重畳した映像信号を受信した場合は、制御信号送受信部１８からインターホン親機Ａ１に対して映像録画制御信号を送信させる。インターホン親機Ａ１では、映像録画制御信号を受信した制御信号送受信部８は、録画要求信号を制御部１６に出力する。そして、録画要求信号が入力された制御部１６は、映像処理部９を制御してカメラ付きドアホン子器Ｂから音声信号に重畳させて送られてくる映像信号を分離し、さらに映像録画再生部２０を制御してその映像信号を録画させる。この録画された映像は、操作部４の映像再生釦を操作することで映像録画再生部２０で再生して、映像表示部１０に表示させることができる。
【００２０】
したがって、家人はモニタ装置無し宅内通話端末（インターホン副親機Ａ２）で応答処理を行った場合でも、通話が終わった後でモニタ装置付き宅内通話端末（インターホン親機Ａ１）でカメラが撮像した映像を表示させることができて、訪問者の映像を確認できる。
【００２１】
（実施形態３）
本実施形態は、実施形態１または２において、インターホン親機Ａ１とカメラ付きドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からカメラ付きドアホン子器Ｂへ送信させることで、終了制御信号を受信したカメラ付きドアホン子器Ｂがインターホン親機Ａ１との通話路が開放されたことを訪問者に報知することができる。
【００２２】
また、インターホン副親機Ａ２とカメラ付きドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からカメラ付きドアホン子器Ｂへ送信させることで、終了制御信号を受信したカメラ付きドアホン子器Ｂがインターホン副親機Ａ２との通話路が開放されたことを訪問者に報知することができる。
【００２３】
【発明の効果】
請求項１の発明は、住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、本端末と通話路を形成している宅外通話端末がカメラ付き宅外通話端末である場合には、カメラが撮像した映像を表示させることができないことを通話路を形成しているカメラ付き宅外通話端末に伝える手段とを備えたので、訪問者は映像による確認無しで、音声のみで家人と通話を行っていることを認識でき、カメラ付き宅外通話端末とモニタ装置無し宅内通話端末との間で通話路を形成した場合でも使い勝手のよいインターホンシステムを構成できるという効果がある。
【００２４】
請求項２の発明は、住戸外に設置される１台以上のカメラ付き宅外通話端末を含む宅外通話端末と、住戸内に設置される１台以上のモニタ装置付き宅内通話端末及び１台以上のモニタ装置無し宅内通話端末とで構成され、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、
モニタ装置無し宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、カメラ付き宅外通話端末との間に通話路を形成したことをモニタ装置付き宅内通話端末に通知する手段とを備え、
少なくとも１台のモニタ装置付き宅内通話端末は、モニタ装置無し宅内通話端末がカメラ付き宅外通話端末との間に通話路を形成したことを通知されたときに、カメラが撮像した映像を録画・再生する手段を備えたので、通話が終わった後でカメラが撮像した映像を表示させて、訪問者の映像を確認でき、カメラ付き宅外通話端末とモニタ装置無し宅内通話端末との間で通話路を形成した場合でも使い勝手のよいインターホンシステムを構成できるという効果がある。
【００２５】
請求項３の発明は、請求項１または２において、宅内通話端末は、宅外通話端末との通話を終了するために操作手段を操作したとき、宅外通話端末に通話の終了を通知する通話終了通知手段を備えるので、宅外通話端末と宅内通話端末との間で形成されていた通話路が開放されたことを宅外通話端末側に知らしめることができるという効果がある。
【図面の簡単な説明】
【図１】本発明の実施形態１，２のインターホン副親機の構成を示す図である。
【図２】本発明の実施形態１のインターホン親機の構成を示す図である。
【図３】本発明の実施形態２のインターホン親機の構成を示す図である。
【符号の説明】
Ａ１　インターホン親機
Ａ２　インターホン副親機
Ｂ　ドアホン子器
３，１３　呼出検出部
４，１４　操作部
５，１５　通話処理部
６，１６　制御部
８，１８　制御信号送受信部
９　映像処理部
１０　映像表示部
【図１】
2004088381.tif 000003
【図２】
2004088381.tif 000004
【図３】
2004088381.tif 000005